(57)【要約】  照明装置（１００）が、光源（４）と、上面と下面と側面とを有する板形状であるとともに、光源（４）が照射した入射光（５）が側面から入射され、入射光（５）をレイリー散乱させることで発生させた散乱光（７）を下面から出射する散乱層（３）と、散乱層（３）の上面に対向する位置に配置されて散乱光（７）を反射する反射層（１）と、散乱層（３）と反射層（１）との間に配置されて、散乱層（３）が有する第１の屈折率よりも低い第２の屈折率を有する低屈折率層（２）と、を備え、反射層（１）のうち散乱層（３）の上面に対向する面の表面の算術平均粗さが０．０３μｍ以上である。
2021117119.tif 000002
【特許請求の範囲】
【請求項１】
光源と、
上面と下面と側面とを有する板形状であるとともに、前記光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層と、
を備え、
前記反射層のうち前記上面に対向する面の表面の算術平均粗さが０．０３μｍ以上である、
ことを特徴とする照明装置。
【請求項２】
前記下面の外周部に配置された遮光性の仕切板をさらに備える、
ことを特徴とする請求項１に記載の照明装置。
【請求項３】
前記第１の屈折率と、前記第２の屈折率との差が０．０５以上である、
ことを特徴とする請求項１または２に記載の照明装置。
【請求項４】
前記低屈折率層の厚みは０よりも大きく１ｍｍ以下である、
ことを特徴とする請求項１から３の何れか１つに記載の照明装置。
【請求項５】
前記散乱層では、透明樹脂に粒子径が３００ｎｍ以下のフィラーが分散配置されている、
ことを特徴とする請求項１から４の何れか１つに記載の照明装置。
【請求項６】
上面と下面と側面とを有する板形状であるとともに、光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層と、
を備え、
前記反射層のうち前記上面に対向する面の表面の算術平均粗さが０．０３μｍ以上である、
ことを特徴とする拡散体。
【発明の詳細な説明】
【技術分野】
【０００１】
本発明は、散乱層で散乱させた光を出射する照明装置および拡散体に関する。
【背景技術】
【０００２】
青空といった自然光を摸擬する照明装置は、光源から出力された光を散乱層で散乱させ、散乱させた光を観測者に観測させている。【０００３】
特許文献１に記載の照明装置では、散乱層が照明装置の底部に配置され、光源が照明装置の上部に配置されている。この照明装置では、例えばレイリー散乱光を発生させるフィラーが、散乱層の母材中に分散されており、フィラーで散乱されたレイリー散乱光を散乱層の下面から出射している。
【先行技術文献】
【特許文献】
【０００４】
【特許文献１】特開２０１５−２０７５５４号公報
【発明の概要】
【発明が解決しようとする課題】
【０００５】
しかしながら、レイリー散乱光は、全方位に対して光を放出するので、上記特許文献１の照明装置では、散乱層中で発せられたレイリー散乱光が、目的の光出射面である下面だけでなく、上面にも発せられてしまい、レイリー散乱光の光量を大幅にロスしてしまう。効率良くレイリー散乱光を利用するためには、拡散層の上面に反射層を設置し、光源から出力された光を散乱層の側面から入射させることが考えられるが、散乱層と反射層とが密着してしまうと、散乱層中に入射した光の直達光、または散乱層中で全反射している白色光が、反射層で拡散されてしまう。この場合、散乱層の下面から出射される光の発光色が白みを帯びてしまい、レイリー散乱光独特の色感を損なってしまう。【０００６】
本発明は、上記に鑑みてなされたものであって、レイリー散乱光を効率良く利用しつつ、色感を損なわない自然光を出力する照明装置を得ることを目的とする。
【課題を解決するための手段】
【０００７】
上述した課題を解決し、目的を達成するために、本発明の照明装置は、光源と、上面と下面と側面とを有する板形状であるとともに、光源が照射した光が側面から入射され、入射された光をレイリー散乱させることで発生させた散乱光を下面から出射する散乱層と、上面に対向する位置に配置されて散乱光を反射する反射層と、を備える。また、本発明の照明装置は、散乱層と反射層との間に配置されて、散乱層が有する第１の屈折率よりも低い第２の屈折率を有する低屈折率層を備え、反射層のうち上面に対向する面の表面の算術平均粗さが０．０３μｍ以上である。
【発明の効果】
【０００８】
本発明にかかる照明装置は、レイリー散乱光を効率良く利用しつつ、色感を損なわない自然光を出力することができるという効果を奏する。
【図面の簡単な説明】
【０００９】
【図１】実施の形態にかかる照明装置の構成を示す断面図
【図２】実施の形態にかかる照明装置の構成を示す斜視図
【図３】実施の形態にかかる照明装置が備える反射層の構成を示す斜視図
【図４】実施の形態にかかる照明装置の反射層と散乱層との層間の構成を示す断面図
【図５】実施の形態にかかる照明装置の色度を説明するための図
【発明を実施するための形態】
【００１０】
以下に、本発明の実施の形態にかかる照明装置および拡散体を図面に基づいて詳細に説明する。なお、この実施の形態によりこの発明が限定されるものではない。
【００１１】
実施の形態．
図１は、実施の形態にかかる照明装置の構成を示す断面図である。図２は、実施の形態にかかる照明装置の構成を示す斜視図である。照明装置１００は、拡散体１０、光源４、および仕切板８を備えている。照明装置１００は、板状の拡散体１０の側面に対向するよう光源４が配置されたエッジ入射方式の照明装置である。
【００１２】
光源４は、基板４１と、基板４１上に配置された１つ以上の発光素子を備えている。発光素子の例は、ＬＥＤ（発光ダイオード：Light  Emitting  Diode）素子４２である。図２の例では、光源４は、アレイ状に配列された複数のＬＥＤ素子４２を有している。光源４は、ＬＥＤ素子４２からの光を拡散体１０に出力する。
【００１３】
拡散体１０は、例えば、矩形の上面および下面と、４つの側面とを有した板形状である。この場合、拡散体１０が有する４つの側面のうち第１の側面と第２の側面とが対向し、第３の側面と第４の側面とが対向する。なお、拡散体１０の上面および下面は、円形などの矩形以外の形状であってもよい。
【００１４】
拡散体１０は、反射層１と、低屈折率層２と、散乱層３とを備えている。反射層１、低屈折率層２、および散乱層３は、例えば板状の部材を用いて構成されている。反射層１の上面、低屈折率層２の上面、および散乱層３の上面は、いずれも同じ形状で同じ大きさである。
【００１５】
拡散体１０では、散乱層３の上面と低屈折率層２とが隣接し、低屈折率層２の上面と反射層１の下面１２とが隣接している。換言すると、拡散体１０では、反射層１の下面１２側（光出射面３２側）に低屈折率層２が設けられており、低屈折率層２の下面側に散乱層３が設けられている。
【００１６】
図１および図２では、反射層１の上面、低屈折率層２の上面、および散乱層３の上面がＸＹ平面に平行であり、反射層１、低屈折率層２、および散乱層３の積層方向がＺ方向である場合を示している。拡散体１０が有する４つの側面のうち第１の側面および第２の側面がＸ方向に延設され、第３の側面および第４の側面がＹ方向に延設されている。すなわち、反射層１、低屈折率層２、および散乱層３は、それぞれＸ方向に延びる２つの側面と、Ｙ方向に延びる２つの側面とを有している。なお、以下の説明では、拡散体１０のうち、反射層１の配置されている側を照明装置１００の上側といい、散乱層３の配置されている側を照明装置１００の下側という場合がある。
【００１７】
散乱層３は、光源４から入射された光を散乱させる層である。低屈折率層２は、屈折率が散乱層３の屈折率よりも低い層である。反射層１は、散乱層３で発生した散乱光７を散乱層３側に反射する層である。
【００１８】
散乱層３は、下面である光出射面３２と、上面である背面３３と、光出射面３２と背面３３とを繋ぐ側面とを有している。光出射面３２は、光を出射する面である。背面３３は、光出射面３２とは反対側の面（上面）である。背面３３と光出射面３２とは平行である。
【００１９】
なお、散乱層３の板形状は、平板以外の形状であってもよい。散乱層３の板形状は、例えば、湾曲した形状であってもよい。散乱層３の板形状は、光出射面３２および背面３３のいずれか一方、またはこれらの両方が湾曲した形状であってもよい。この湾曲した形状は、凸に湾曲した形状であってもよいし、凹に湾曲した形状であってもよい。
【００２０】
散乱層３が有する側面のうちの１つ以上の側面が光入射面３１である。すなわち、散乱層３が４つの側面を有している場合、４つの側面のうちの少なくとも１面が光入射面３１である。以下の説明では、散乱層３が有する側面のうちの１つの側面が光入射面３１である場合について説明する。
【００２１】
光入射面３１は、散乱層３のＸ方向の端部に形成され、光源４から出力された光が入射される。すなわち、光源４で発生した入射光５は、散乱層３の光入射面３１から散乱層３内に入射する。入射光５は、散乱層３内を導光する。
【００２２】
散乱層３は、基材３４とフィラー６とを有する。フィラー６は、ナノメートル［ｎｍ］オーダーの大きさを持つ粒子であり、入射光５をレイリー散乱させる。フィラー６は、例えば球形であるが、他の形状であってもよい。フィラー６は、真球または楕円体であってもよい。フィラー６の粒子径は、１ｎｍ以上３００ｎｍ以下の範囲内であることが望ましい。フィラー６の粒子径が１ｎｍ以下である場合、入射光５がほとんど散乱することがなく、レイリー散乱がほとんど生じない。フィラー６の粒子径が３００ｎｍ以上である場合、レイリー散乱ではなくミー散乱が生じてしまうので、レイリー散乱の色感が損なわれる。
【００２３】
また、フィラー６の粒子径は、６０ｎｍ以上１５０ｎｍ以下の範囲内であることがより望ましい。ただし、基材３４内に分散されるフィラー６が、複数種類のフィラー６を含む場合などには、一部のフィラー６の粒子径は、上記範囲内でなくてもよい。例えば、基材３４内に、フィラー６以外の粒子であるマイクロオーダーの光散乱粒子が含まれていてもよい。
【００２４】
フィラー６は、例えば、無機酸化物である。この無機酸化物は、ＺｎＯ（酸化亜鉛：Zinc  Oxide）、ＴｉＯ2（二酸化チタン(IV)：Titanium  Dioxide）、ＺｒＯ2（二酸化ジルコニウム：Zirconium  Dioxide）、ＳｉＯ2（二酸化ケイ素：Silicon  Dioxide）、Ｓｂ2Ｏ5（五酸化二アンチモン：Diantimony  Pentoxide）、Ａｌ2Ｏ3（三酸化二アルミニウム：Dialuminium  Trioxide）などのいずれか１つ以上である。フィラー６は、入射光５を散乱させて散乱光７を生成する。言い換えれば、フィラー６は、導光される光を散乱させて散乱光７を生成する。
【００２５】
フィラー６は、例えば、有機系ポリマーでもよい。この有機系ポリマーは、アクリル系、スチレン系、ウレタン系、ポリエステル系、ポリエチレン系、メラミン系などのいずれか１つ以上である。
【００２６】
基材３４中では、フィラー６が分散されている。散乱層３は、フィラー６が基材３４に添加されることによって形成される。基材３４は、光を透過する材料から形成される。散乱層３は、例えば、複数種類のフィラー６を含んだ基材３４を用いて形成される。
【００２７】
基材３４中の導光距離５ｍｍにおける入射光５の透過率（すなわち、直進透過率）は、設計波長において９０％以上であることが好ましい。また、この透過率は、９５％以上であることがより好ましい。また、この透過率は、９９％以上であることが一層好ましい。ここで、設計波長は、光源４から出力される入射光５の波長のうち予め定められた波長をいう。設計波長は、１つの波長に限定されず、複数の波長であってもよい。この場合、上記の直進透過率の値は、設計波長の全てにおいて満たされることが望ましい。設計波長は、例えば、４５０ｎｍから６５０ｎｍまでの範囲内の波長であればよい。光源４が白色光源である場合は、設計波長は、例えば、４５０ｎｍ、５５０ｎｍ、および６５０ｎｍのいずれかである。
【００２８】
基材３４は、固体である。基材３４は、例えば、熱可塑性ポリマー、熱硬化性樹脂、または光重合性樹脂などを用いた樹脂板から形成されている。また、樹脂板としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマーなどのうちの１つ以上の材料または複数の材料を用いることができる。なお、基材３４は、液体、液晶、ゲル、ゾルまたは気体であってもよい。
【００２９】
散乱層３は、有機ハイブリッド樹脂または無機ハイブリッド樹脂であってもよい。有機ハイブリッド樹脂および無機ハイブリッド樹脂は、例えば、樹脂と無機酸化物とのハイブリッド樹脂である。この場合、フィラー６は、基材３４をベースとしてゾル‐ゲル硬化によって生成された無機酸化物である。
【００３０】
また、散乱層３は、例えば、固体の透明基材の第１表面および第２表面のいずれか一方または両方に、フィラー６を含む薄膜をコーティングして形成されてもよい。すなわち、基材３４の全体にフィラー６が配置されていなくてもよく、基材３４の上面または下面にフィラー６が配置されていてもよい。この場合、薄膜が散乱層３である。また、散乱層３の下面、上面、および側面の少なくとも１面には、硬度１Ｈ以上のハードコート層が配置されてもよい。
【００３１】
拡散体１０の前面である光出射面３２、背面３３、および側面の少なくともいずれかの面に、耐擦傷性コート、対候性コート、反射防止コート、防汚コート、遮熱コートなど、透過性の機能性コーティングまたはハードコーティングが施されてもよい。
【００３２】
散乱層３内を導光される入射光５は、光出射面３２と背面３３とで反射されて導光される。入射光５は、例えば、全反射によって導光される。
【００３３】
光出射面３２は、フィラー６で散乱された散乱光７を出射する。光出射面３２は、高い平滑性を有することが望ましい。これは、光出射面３２に微細な傷または微細な凹凸が生じた場合には、拡散体１０内を導光される光が、光出射面３２より僅かに漏れ出るからである。
【００３４】
光出射面３２は、観測者側に向けられる面である。この場合、背面３３から出射する散乱光７は、損失となる。照明装置１００では、背面３３から出射する散乱光７を利用するために、散乱層３の背面３３側に光を反射する反射層１が配置されている。反射層１は、例えば、白色反射体である。反射層１は、青色などの有色反射体でもよい。
【００３５】
照明装置１００では、光源４より発せられた入射光５が、散乱層３内部で反射して導光方向に向かって進む。散乱層３中にはフィラー６が均一に分散されているので、入射光５がフィラー６に当たると散乱光７が発生する。散乱光７にはレイリー散乱光が含まれる。
【００３６】
本実施の形態では、照明装置１００が、拡散体１０の側面から入射光５を入射する構成（エッジ入射方式）であるので、導光距離は、散乱層３の光入射面３１から、光入射面３１の対面までの距離となる。入射光の導光方向が、散乱層の厚み方向である場合、すなわち、照明装置が直下型方式である場合、導光距離は散乱層の厚み分の長さとなるので、本実施の形態の照明装置１００と比較して導光距離が短くなる。
【００３７】
照明装置１００のように導光距離が長くなることで、入射光５がフィラー６と接触する頻度が上がり、散乱光７が効率良く発生する。そのため、本実施の形態では、拡散体１０が同じサイズであれば、同等の散乱光７を発生させるのに必要なフィラー濃度を低くすることができる。
【００３８】
散乱層中のフィラー濃度が高いと、粒子間の距離が近くなるので、粒子の凝集が生じやすくなる。そして、粒子の凝集体のサイズが光の波長と同等になると、散乱光中のミー散乱が多くなってしまう。そうなるとレイリー散乱光の色感が阻害され、目的の色が表現できなくなる。また、散乱層の厚みを増やして導光距離を長くする場合には、照明装置全体が大型となってしまう。本実施の形態の照明装置１００は、散乱層３内のミー散乱を抑制しつつ、効率良く発せられたレイリー散乱光である散乱光７を散乱層３の下面に出射できるよう、フィラー濃度が適切に調整されており、拡散体１０の側面から入射光５を入射させる。これにより、観測者は、ミー散乱が抑制され効率良く発生したレイリー散乱光を、光出射面３２から観測することとなる。
【００３９】
ところで、レイリー散乱光は全方位に発せられるので、散乱光７は散乱層３の上面などにも発せられる。この上面（背面３３）に発せられた散乱光７は、まず低屈折率層２に入射されることになるが、この散乱光７の入射角度がある一定以下の角度である場合は低屈折率層２で反射し、散乱層３の下面に返される。一方、散乱層３の上面に発せられた散乱光７は、ある一定角よりも高角に入射されると低屈折率層２を透過し、反射層１で反射されて、散乱層３の下面に返されることとなる。低屈折率層２で反射される散乱光７の入射角度は散乱層３と低屈折率層２との屈折率差によって決まる。
【００４０】
低屈折率層２の役割は、散乱層３中で全反射している入射光５を反射層１で反射または散乱させないことである。仮に低屈折率層２がなく、散乱層３の上面に反射層１が直接密着する構成であった場合、散乱層３中で全反射している入射光５が直上の反射層１で反射してしまい、その反射光が光出射面３２から出射される。入射光５の反射光は散乱層３中で発生したレイリー散乱光よりも発光強度が高いので、入射光５の反射光が光出射面３２から出射されると、レイリー散乱光の色感が損なわれる。本実施の形態では、散乱層３と反射層１との間に低屈折率層２が設けられているので、入射光５は散乱層３中で全反射し、反射層１まで到達できない。
【００４１】
また、本実施の形態の光源４の下部または周囲には、遮光性の仕切板８が設置されており、観測者が光源４を直接視認できないようになっている。すなわち、仕切板８は、照明装置１００の外部と内部とを隔てている。仕切板８は、例えば、散乱層３の下面側で下面の外周部に配置されている。
【００４２】
散乱層３の下面が矩形である場合、仕切板８は、散乱層３の下面のうちの光源４の配置される辺に配置される。なお、仕切板８は、光源４が配置されている辺と、光源４が配置されていない辺と、の両方に配置されてもよい。例えば、仕切板８は、散乱層３の下面のうちの外周領域の１周分に配置されてもよい。すなわち、散乱層３の下面が矩形である場合、仕切板８は、散乱層３の下面のうちの４つの辺に配置されてもよい。この場合、仕切板８の下面形状は、散乱層３の下面のうちの外周領域に沿った環状である。
【００４３】
照明装置１００は、例えば天井に設置される。この場合、光出射面３２が地面側を向くよう、照明装置１００が天井に設置される。観測者は、天井方向を見ることによって、光出射面３２から出射される光を観測することとなる。なお、照明装置１００は、壁などに設置されてもよい。
【００４４】
図３は、実施の形態にかかる照明装置が備える反射層の構成を示す斜視図である。図４は、実施の形態にかかる照明装置の反射層と散乱層との層間の構成を示す断面図である。図３では、反射層１の下面１２を上側にして図示している。
【００４５】
反射層１の下面１２は、細かな粗さを有している。具体的には、反射層１の下面１２に複数の凸部１１が設けられている。これにより、散乱層３の直上に反射層１が設置された場合に、反射層１の微小凹凸である凸部１１によって反射層１と散乱層３とが完全に密着することはなく、凸部１１の高さ分の領域に極薄の低屈折率層２を設けることが可能となる。これにより省スペース化を実現できるので、照明装置１００を小型化することができる。
【００４６】
反射層１の下面１２には、少なくとも３つの凸部１１があればよい。これにより、散乱層３は、少なくとも３つの凸部１１で反射層１を支えることができるので、反射層１と散乱層３との間に隙間を設けることができる。例えば、反射層１の下面１２の四隅に凸部１１が配置されることによって、反射層１と散乱層３との間の隙間に低屈折率層２を設けることができる。なお、反射層１は、上面および側面が細かな粗さを有していてもよい。すなわち、反射層１の上面および側面にも凸部１１が設けられてもよい。
【００４７】
反射層１の算術平均粗さである表面粗さＲａは、０．０３μｍ以上が望ましい。０．０３μｍよりも小さな表面粗さＲａになると反射層１と散乱層３とが密着してしまい、反射層１と散乱層３との間の領域において、低屈折率層２が面内の一部もしくは全面内において消失する。また、反射層１と散乱層３との間の密着度を、さらに低くするためには、表面粗さＲａは０．２μｍ以上が望ましい。
【００４８】
低屈折率層２の屈折率ｎ2は、散乱層３の屈折率ｎ3よりも低い。散乱層３の屈折率ｎ3が第１の屈折率であり、低屈折率層２の屈折率ｎ2が第２の屈折率である。低屈折率層２と散乱層３との間の屈折率差は、（ｎ3−ｎ2)≧０．０５であることが望ましい。屈折率差が０．０５より小さくなると、散乱層３中で全反射する入射光５が、低屈折率層２への入射角度によっては全反射せず、低屈折率層２へ透過し、反射層１で反射されてしまう。そうすると、入射光５の反射光が観測者に届くこととなり、レイリー散乱光を含む散乱光７の色感が損なわれてしまう。
【００４９】
屈折率差が（ｎ3−ｎ2)≧０．０５である場合、散乱層３内で全反射する入射角度の臨界角は７５°となる。このとき光源４から発せられる入射角度が２５°以内であれば全反射が起こる。光源４の入射角度が２５°よりも大きくなる場合、挟角レンズなどによって入射角度を絞れば入射角度を変更することが可能である。
【００５０】
なお、屈折率差は（ｎ3−ｎ2)≧０．０５である場合よりも、（ｎ3−ｎ2)≧０．３である方が望ましい。（ｎ3−ｎ2)≧０．３であればＬＥＤなどの一般的な光源の入射角度で全反射が起こる。
【００５１】
低屈折率層２の厚みｔは、０＜ｔ≦１ｍｍであることが望ましい。低屈折率層２の厚みが０ｍｍ、つまり散乱層３と反射層１とが完全に密着している状態では、入射光５が反射層１によって反射してしまい、レイリー散乱光を含む散乱光７の色感を損なうので、低屈折率層２は０ｍｍより厚くならなければならない。したがって、本実施の形態の低屈折率層２は０ｍｍよりも厚い。また、低屈折率層２の厚みが１ｍｍ以上になると、観測者が真横に近い角度で照明装置１００の外部から照明装置１００を見た際に照明装置１００の内部が見えてしまい、照明装置１００の見栄えが悪くなる。したがって、本実施の形態の低屈折率層２は、１ｍｍよりも薄い方が望ましい。
【００５２】
また、光源４がＬＥＤである場合、光源４からの入射光５が、直接反射層１に照射されると、入射光５の反射層１による反射光が観測者に届くこととなり、レイリー散乱光の色感が損なわれる。このため、照明装置１００では、光源４がＬＥＤである場合には、光源４からの入射光５が、直接反射層１に照射されないようにされている。
【００５３】
低屈折率層２の厚さは、反射層１が持つ表面粗さＲａまたは凹凸に基づいて決定されてもよいし、低屈折率層２の材質に粘着性または接着性がある場合には低屈折率層２の材料の性質を利用して調整されてもよい。また、低屈折率層２の厚さは、スペーサーなどを用いて調整されてもよい。
【００５４】
低屈折率層２は、例えばフッ素系ポリマー、シリコーンポリマー、アクリルポリマー、ポリプロピレン、ウレタンポリマーなどの低屈折率樹脂である。また、低屈折率層２は、ガラなどの固体であってもよいし、水、メチルアルコール、エタノール、アセトン、酢酸などの液体であってもよい。また、低屈折率層２は、空気、ヘリウム、窒素、酸素などの気体であってもよいし、エアロゾル、ゲルなどであってもよい。
【００５５】
光源４は、相関色温度Ｔciの光を発する。相関色温度Ｔciは、例えば、６５００Ｋ（ケルビン）である。相関色温度Ｔciは、５０００Ｋであってもよい。「相関色温度」とは、発光体の色と最も近い色に見える黒体放射の色温度を意味する。光源４は、例えば、相関色温度Ｔciの光として白色光を出射する光源であってもよい。
【００５６】
光源４が備える複数のＬＥＤ素子４２の各々は、同じ相関色温度Ｔciの光を発するように構成されている。なお、光源４には、互いに異なる相関色温度Ｔciの光を発する複数種類のＬＥＤ素子４２が含まれていてもよい。例えば、複数のＬＥＤ素子４２が発する光は、赤色光、緑色光、および青色光の３色の光を含んでもよい。この場合、光源４のＬＥＤ素子４２には、赤色光を発するＬＥＤ素子４２と、緑色光を発するＬＥＤ素子４２と、青色光を発するＬＥＤ素子４２とが含まれている。
【００５７】
また、複数のＬＥＤ素子４２が発する光は、白色光、緑色光、および青色光の３色の光を含んでもよい。この場合、光源４のＬＥＤ素子４２には、白色光を発するＬＥＤ素子４２と、緑色光を発するＬＥＤ素子４２と、青色光を発するＬＥＤ素子４２とが含まれる。
【００５８】
また、複数のＬＥＤ素子４２が発する光は、白色光、緑色光、青色光、および橙色光の４色の光を含んでもよい。この場合、光源４のＬＥＤ素子４２には、白色光を発するＬＥＤ素子４２と、緑色光を発するＬＥＤ素子４２と、青色光を発するＬＥＤ素子４２と、橙色光を発するＬＥＤ素子４２とが含まれる。
【００５９】
複数のＬＥＤ素子４２の各々は、独立してオン制御およびオフ制御が行われてもよい。また、複数のＬＥＤ素子４２の各々は、独立して発光量制御が行われてもよいし、独立して発光色制御が行われてもよい。すなわち、複数のＬＥＤ素子４２の各々は、独立して、オン-オフ制御、発光量制御、および発光色制御の少なくとも１つが行われてもよい。これらの制御によって、照明装置１００は、青空だけでなく、夕方または日没後の空を表現することも可能である。
【００６０】
また、光源４は、ＬＥＤ素子４２の各々への独立したオン制御およびオフ制御と、発光量制御と、発光色制御とを実行することで、白色の光を発することができる。なお、光源４から出力される光の色は、白色以外の色であってもよい。例えば、光源４を制御する制御回路が、複数のＬＥＤ素子４２の各々を独立して制御することによって、白色光のスペクトルを調整すること、または、白色以外の光を出射させることが可能となる。
【００６１】
光源４に含まれているＬＥＤ素子４２の発光色の組み合わせは、上述した組み合わせに限定されない。例えば、光源４は、白色光、緑色光、および橙色光のうちの１つ以上の色の光を発するＬＥＤ素子４２を含むことができる。或いは、光源４は、白色光、緑色光、橙色光および青色光のうちの１つ以上の色の光を発するＬＥＤ素子４２を含むことができる。
【００６２】
また、光源４は、低い色温度の白色光を発するＬＥＤ素子４２と、高い色温度の白色光を発するＬＥＤ素子４２とを含むことができる。ここで、高い色温度の白色光と低い色温度の白色光との色温度の差は、例えば、２５００Ｋ以上である。高い色温度の白色光と低い色温度の白色光との色温度の差は、４０００Ｋ以上であってもよい。また、高い色温度の白色光と低い色温度の白色光との色温度の差は、８５００Ｋであってもよい。
【００６３】
高い色温度の白色光の相関色温度Ｔcwhは、例えば、６５００Ｋ以上である。高い色温度の白色光の相関色温度Ｔcwhの例は、１１０００Ｋである。低い色温度の白色光の相関色温度Ｔcwlは、例えば、２０００Ｋ以上である。低い色温度の白色光の相関色温度Ｔcwlの例は、４０００Ｋである。ただし、光入射面３１に入射する入射光５または各ＬＥＤ素子４２が発する光の色温度が、色度図（例えば、ＣＩＥ（国際照明委員会）１９３１色度図）上で黒体軌跡より大きく外れており、相関色温度による表現が難しい場合には、光の色温度は、上記値に限定されない。
【００６４】
光源４は、光を出射する光出射面を備えている。光源４の光出射面は、光入射面３１に対向する位置に配置されてもよいし、光出射面３２に対向する位置に配置されてもよい。光源４が図１に示す位置に配置される場合、散乱光７は、光出射面３２から出射されてもよいし、光入射面３１に対向する側面から出射されてもよい。また、光源４は、散乱層３の複数の側面に配置されてもよい。この場合、各光源４は、各光入射面３１に対向する位置に配置される。
【００６５】
つぎに、本実施の形態の拡散体１０が発する散乱光７の色度について説明する。ここでは、本実施の形態の第１の拡散体１０と、本実施の形態の第２の拡散体１０と、比較例の拡散体とをそれぞれ製造して測定した色度について説明する。比較例の拡散体は、本実施の形態の拡散体１０と同様の、散乱層３および低屈折率層２を備えているものとする。なお、以下の説明では、本実施の形態の第１の拡散体１０と、本実施の形態の第２の拡散体１０と、比較例の拡散体とを、３つの拡散体という場合がある。
【００６６】
第１の拡散体１０は、透明樹脂中にナノフィラーを添加した樹脂板が散乱層３であり、散乱層３の背面３３側に反射層１として、表面粗さＲａ＝０．０３μｍの白板が設置されている。
【００６７】
第２の拡散体１０は、透明樹脂中にナノフィラーを添加した樹脂板が散乱層３であり、散乱層３の背面３３側に反射層１として、表面粗さＲａ＝０．２μｍの白板が設置されている。
【００６８】
比較例の拡散体は、透明樹脂中にナノフィラーを添加した樹脂板が散乱層３であり、散乱層３の背面３３側に反射層１として、表面粗さＲａ＝０．０２μｍの白板が設置されている。
【００６９】
３つの拡散体は、いずれも低屈折率層２が空気層である。これらの低屈折率層２の厚みは、それぞれの反射層１の表面粗さＲａに依存し、いずれも１ｍｍ以下であった。また、３つの拡散体では、いずれも散乱層３と低屈折率層２との屈折率差は（ｎ3−ｎ2)≧０．３となる。３つの拡散体に対しては、散乱層３の側面から光が入るよう、光源４として相関色温度６５００Ｋの白色ＬＥＤを配置した。
【００７０】
表面粗さＲａを変化させた３つの拡散体に対して、光出射面３２から発せられるＣＩＥ１９３１色度を測定した。図５は、実施の形態にかかる照明装置の色度を説明するための図である。図５では、３つの拡散体の表面粗さＲａと、色度座標との対応関係を示している。
【００７１】
３つの拡散体に対しては、光源４からＸＹ平面に平行な面内で１００ｍｍ離れた箇所の色度を測定した。図５では、３つの拡散体に対する色度の測定結果を示している。表面粗さＲａが０．０３μｍである第１の拡散体１０では、色度は（ｘ，ｙ）＝（０．２６１，０．２８９）となり、青みのある発光色が確認された。
【００７２】
また、表面粗さＲａが０．２μｍである第２の拡散体１０では、色度は（ｘ，ｙ）＝（０．２５４，０．２７６）となり、第１の拡散体１０よりも青みが強い色度となった。
【００７３】
表面粗さＲａが０．０２μｍである比較例の拡散体では、散乱層３と反射層１との密着が確認され、密着部分から発せられる入射光５の反射光によって、光源４の白色ＬＥＤに近い色味となった。比較例の拡散体での色度は（ｘ，ｙ）＝（０．３１２，０．３２８）となった。
【００７４】
このように実施の形態では、照明装置１００が、散乱層３と、低屈折率層２と、反射層１とを備えており、反射層１のうち、散乱層３の背面３３に対向する下面１２の表面粗さＲａが０．０３μｍ以上であるので、拡散体１０は、レイリー散乱光を効率良く利用しつつ、色感を損なわない自然光を出力することができる。
【００７５】
また、実施の形態では、拡散体１０の側面部に光源４が配置されているので、照明装置１００の厚みを抑制することができる。また、実施の形態では、散乱層３の光出射面３２側に仕切板８が配置されているので、光出射面３２以外からは、散乱光７が観測者に観測されない。
【００７６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７７】
１  反射層、２  低屈折率層、３  散乱層、４  光源、５  入射光、６  フィラー、７  散乱光、８  仕切板、１０  拡散体、１１  凸部、１２  下面、３１  光入射面、３２  光出射面、３３  背面、３４  基材、４１  基板、４２  ＬＥＤ素子、１００  照明装置。
【図１】
2021117119.tif 000003
【図２】
2021117119.tif 000004
【図３】
2021117119.tif 000005
【図４】
2021117119.tif 000006
【図５】
2021117119.tif 000007
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
相関色温度が２０００ケルビン以上の光源と、
上面と下面と側面とを有する板形状であるとともに、前記光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層とを備え、
前記反射層のうち前記上面に対向する面の表面の算術平均粗さが０．０３μｍ以上である、
ことを特徴とする照明装置。
【請求項２】
前記光源として少なくとも相関色温度が２０００ケルビン以上の第１の光源と、６５００ケルビン以上の第２の光源とを含む、
ことを特徴とする請求項１に記載の照明装置。
【請求項３】
前記反射層は、有色反射体である、
ことを特徴とする請求項１または２に記載の照明装置。
【請求項４】
前記下面の外周部に配置された遮光性の仕切板をさらに備える、
ことを特徴とする請求項１から３の何れか１つに記載の照明装置。
【請求項５】
前記第１の屈折率と、前記第２の屈折率との差が０．０５以上である、
ことを特徴とする請求項１から４の何れか１つに記載の照明装置。
【請求項６】
前記低屈折率層の厚みは０よりも大きく１ｍｍ以下である、
ことを特徴とする請求項１から５の何れか１つに記載の照明装置。
【請求項７】
前記散乱層では、透明樹脂に粒子径が３００ｎｍ以下のフィラーが分散配置されている、
ことを特徴とする請求項１から６の何れか１つに記載の照明装置。
【請求項８】
上面と下面と側面とを有する板形状であるとともに、光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層とを備え、
前記反射層のうち前記上面に対向する面の表面の算術平均粗さが０．０３μｍ以上であり、
前記反射層は、有色反射体である、
ことを特徴とする拡散体。
【手続補正２】
【補正対象書類名】明細書
【補正対象項目名】０００７
【補正方法】変更
【補正の内容】
【０００７】
上述した課題を解決し、目的を達成するために、本発明の照明装置は、相関色温度が２０００ケルビン以上の光源と、上面と下面と側面とを有する板形状であるとともに、光源が照射した光が側面から入射され、入射された光をレイリー散乱させることで発生させた散乱光を下面から出射する散乱層と、上面に対向する位置に配置されて散乱光を反射する反射層と、を備える。また、本発明の照明装置は、散乱層と反射層との間に配置されて、散乱層が有する第１の屈折率よりも低い第２の屈折率を有する低屈折率層を備え、反射層のうち上面に対向する面の表面の算術平均粗さが０．０３μｍ以上である。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
相関色温度が２０００ケルビン以上の光源と、
上面と下面と側面とを有する板形状であるとともに、前記光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層とを備え、
前記散乱層と前記反射層と前記低屈折率層とを有した拡散体に対し、前記上面、前記下面、および前記側面の少なくともいずれかの面に、機能性コーティングが施され、
前記反射層のうち前記上面に対向する面の表面の算術平均粗さが０．０３μｍ以上である、
ことを特徴とする照明装置。
【請求項２】
前記光源として少なくとも相関色温度が２０００ケルビン以上の第１の光源と、６５００ケルビン以上の第２の光源とを含む、
ことを特徴とする請求項１に記載の照明装置。
【請求項３】
前記反射層は、有色反射体である、
ことを特徴とする請求項１または２に記載の照明装置。
【請求項４】
前記下面の外周部に配置された遮光性の仕切板をさらに備える、
ことを特徴とする請求項１から３の何れか１つに記載の照明装置。
【請求項５】
前記第１の屈折率と、前記第２の屈折率との差が０．０５以上である、
ことを特徴とする請求項１から４の何れか１つに記載の照明装置。
【請求項６】
前記低屈折率層の厚みは０よりも大きく１ｍｍ以下である、
ことを特徴とする請求項１から５の何れか１つに記載の照明装置。
【請求項７】
前記散乱層では、透明樹脂に粒子径が３００ｎｍ以下のフィラーが分散配置されている、
ことを特徴とする請求項１から６の何れか１つに記載の照明装置。
【請求項８】
上面と下面と側面とを有する板形状であるとともに、光源が照射した光が前記側面から入射され、入射された光をレイリー散乱させることで発生させた散乱光を前記下面から出射する散乱層と、
前記上面に対向する位置に配置されて前記散乱光を反射する反射層と、
前記散乱層と前記反射層との間に配置されて、前記散乱層が有する第１の屈折率よりも低い第２の屈折率を有する低屈折率層とを備え、
前記上面、前記下面、および前記側面の少なくともいずれかの面に、機能性コーティングが施され、
前記反射層のうち前記上面に対向する面の表面の算術平均粗さが０．０３μｍ以上であり、
前記反射層は、有色反射体である、
ことを特徴とする拡散体。
【手続補正２】
【補正対象書類名】明細書
【補正対象項目名】０００７
【補正方法】変更
【補正の内容】
【０００７】
上述した課題を解決し、目的を達成するために、本発明の照明装置は、相関色温度が２０００ケルビン以上の光源と、上面と下面と側面とを有する板形状であるとともに、光源が照射した光が側面から入射され、入射された光をレイリー散乱させることで発生させた散乱光を下面から出射する散乱層と、上面に対向する位置に配置されて散乱光を反射する反射層と、を備える。また、本発明の照明装置は、散乱層と反射層との間に配置されて、散乱層が有する第１の屈折率よりも低い第２の屈折率を有する低屈折率層を備え、散乱層と反射層と低屈折率層とを有した拡散体に対し、上面、下面、および側面の少なくともいずれかの面に、機能性コーティングが施され、反射層のうち上面に対向する面の表面の算術平均粗さが０．０３μｍ以上である。
【国際調査報告】
2021117119.tif 000008
2021117119.tif 000009
2021117119.tif 000010
2021117119.tif 000011
2021117119.tif 000012